(57)【要約】      （修正有）【課題】シャワーヘッドを任意の位置に自由に支持することが可能なシャワーヘッド支持具を提供する。【解決手段】ベース面に対して着脱自在に構成された基台２と、基台２に連設されてシャワーヘッドＳを保持する保持台３とを有し、保持台３が、角度調整機構を介して基台２に連設されており、基台２が、吸着機構によりベース面に対して着脱自在に構成されている。【選択図】図１
0003220703.tif 000002
【実用新案登録請求の範囲】
【請求項１】
手に保持して位置を調節しながら利用可能なシャワーヘッドを支持しベース面に固定するシャワーヘッド支持具であって、
ベース面に対して着脱自在に構成された基台と、
前記基台に連設されてシャワーヘッドを保持する保持台と、を有することを特徴とするシャワーヘッド支持具。
【請求項２】
保持台が、角度調整機構を介して基台に連設されていることを特徴とする請求項１に記載のシャワーヘッド支持具。
【請求項３】
基台が、吸着機構によりベース面に対して着脱自在に構成されていることを特徴とする請求項１または２に記載のシャワーヘッド支持具。
【考案の詳細な説明】
【技術分野】
【０００１】
本考案は、手に保持して位置を調節しながら使用することが可能なシャワーヘッドを浴室の壁面などに支持するシャワーヘッド支持具に関するものである。
【背景技術】
【０００２】
従来より、浴室やシャワー室などにおいて、手に保持して位置を調節しながら使用することが可能なシャワーヘッドを設置する場合、シャワーヘッドを保持する保持部を備えたシャワーヘッド支持具が、浴室やシャワー室の壁面などにネジなどの固定具を用いて固定して取り付けられている（例えば、特許文献１参照）。このようなシャワーヘッド支持具は、シャワーの使用目的によってシャワーヘッドを支持する位置を変更できるように、複数取り付けられている。
【０００３】
また、シャワーヘッドの支持位置をより任意の高さ位置に調節することができるように、スライドバーを備えたシャワーヘッド支持具も用いられている（例えば、特許文献２参照）。このようなシャワーヘッド支持具は、スライドバーが浴室の壁面などに固定して取り付けられるとともに、シャワーヘッドを保持する保持部がスライドバーに摺動可能に取り付けられて、シャワーヘッドの支持位置をより任意の高さ位置に調節することができるようになっている。
【先行技術文献】
【特許文献】
【０００４】
【特許文献１】特開２００２−１４６８７０
【特許文献２】特開２００８−１９０１２１
【考案の概要】
【考案が解決しようとする課題】
【０００５】
しかし、前述の特許文献１や２に示すシャワーヘッド支持具では、シャワーヘッドが支持される位置が、壁面に固定して取り付けられたシャワーヘッド支持具の取り付け位置に規制されてしまい、シャワーヘッドを希望する任意の位置、特に水平方向における任意の位置に支持することができなかった。
【０００６】
本考案は前述の点に鑑みてなされたものであり、シャワーヘッドを任意の位置に自由に支持することが可能なシャワーヘッド支持具を提供することを目的とする。
【課題を解決するための手段】
【０００７】
以下では、本考案の理解を容易にするために、本考案の実施形態を示す図面に対応する符号を付して説明するが、これに限定されるものではない。
【０００８】
前記目的を達成するために、本考案に係るシャワーヘッド支持具（１）は、手に保持して位置を調節しながら利用可能なシャワーヘッド（Ｓ）を支持しベース面（Ｂ）に固定するものであり、
ベース面（Ｂ）に対して着脱自在に構成された基台（２）と、
基台（２）に連設されてシャワーヘッド（Ｓ）を保持する保持台（３）と、を有することを特徴とする。
【０００９】
このような構成を採用することにより、基台（２）がベース面（Ｂ）に対して着脱自在に構成されているので、ベース面（Ｂ）の任意の位置にシャワーヘッド支持具（１）を取り付けることができるとともに、取り付け位置を変更したいときは、シャワーヘッド支持具（１）を取り外して改めて他の任意の位置に取り付けることができる。
【００１０】
本考案に係るシャワーヘッド支持具（１）は、保持台（３）が、角度調整機構（１４）を介して基台（２）に連設されていてもよい。このような構成を採用することにより、保持台（３）に保持されたシャワーヘッド（Ｓ）の保持角度を調整して、任意の角度でシャワーヘッド（Ｓ）を使用することができる。
【００１１】
さらに、本考案に係るシャワーヘッド支持具（１）は、基台（２）が、吸着機構（５〜１０）によりベース面（Ｂ）に対して着脱自在に構成されていてもよい。このような構成を採用することにより、基台（２）をベース面（Ｂ）の任意の位置に対して吸着させるとともに、吸着を解除して、改めて他の任意の位置に吸着させることができる。
【考案の効果】
【００１２】
本考案に係るシャワーヘッド支持具（１）によれば、任意の位置に取り付けたシャワーヘッド支持具（１）の保持台（３）に、手に保持して位置を調節しながら利用可能なシャワーヘッド（Ｓ）を保持させることができ、シャワーヘッド（Ｓ）を任意の位置で固定支持して使用することができる。
【図面の簡単な説明】
【００１３】
【図１】本考案に係るシャワーヘッド支持具の一実施形態を示す正面図である。
【図２】図１に示すシャワーヘッド支持具の側面図である。
【図３】図１に示すシャワーヘッド支持具における吸着機構の断面図である。
【図４】図１に示すシャワーヘッド支持具における角度調整機構の断面図である。
【考案を実施するための形態】
【００１４】
以下、図１および図２に基づいて、本考案に係るシャワーヘッド支持具の一実施形態を説明する。
【００１５】
図１および図２に示すように、本実施形態に係るシャワーヘッド支持具１は、手に保持して位置を調節しながら利用可能なシャワーヘッドＳを支持するものであって、浴室やシャワー室の壁面などのベース面Ｂに着脱自在に構成された基台２と、基台２に連設されてシャワーヘッドＳを保持する保持台３と、を有している。
【００１６】
本例の基台２は、吸着機構によりベース面Ｂに対して着脱自在に構成されている。吸着機構の一例として、図３（ａ）及び図３（ｂ）に示すように、基台２は、可撓性を備えベース面Ｂに吸着する吸盤部５と、吸盤部５を被覆するドーム状の吸盤蓋６と、吸盤部５をベース面Ｂに対して押圧する押圧体７と、を有している。
押圧体７は、先端部が吸盤部５に連設されており、押圧体７の他端部は、吸盤蓋６の中央部から外部に挿通され配置されている。
押圧体７における吸盤蓋６から露出した部分には、回動軸８を介して操作体９が回動自在に設けられている。操作体９は、回動動作により吸盤部５をベース面Ｂに吸着させる吸着位置と、吸盤部５の吸着を解除する解除位置との間を移動するようになっており、操作体９の先端部には、突起１０が設けられている。
【００１７】
このような吸着機構を備えた基台２は、図３（ａ）に示すように、吸盤部５をベース面Ｂに押し当てた状態で、押圧体７を吸盤部５に押し付けた後、図３（ｂ）に示すように、回動軸８を介して操作体９を吸着位置に回動させることにより、操作体９の突起１０が吸盤蓋６に当接して吸盤蓋６が吸盤部の周縁部分に圧着されるとともに、押圧体７により吸盤部５の中央部分がベース面Ｂから離間される方向に引っ張られる。これにより、吸盤部５とベース面Ｂとの隙間内の空気圧力が周囲環境の大気圧力より低くなって吸盤部５とベース面Ｂとの間に強力な吸引力が生じ、基台２がベース面Ｂに対して強力に吸着するようになっている。
【００１８】
保持台３には、シャワーヘッドＳの首部が挿通可能な挿通部１２が形成されており、保持台３は、シャワーヘッドＳの首部を挿通部１２に挿通させるとともに、シャワーヘッドＳのシャワー部を挿通部１２の上縁面に係止させることにより、シャワーヘッドＳを保持するようになっている。
【００１９】
さらに本実施形態において保持台３は、角度調整機構１４を介して基台２に連設されている。角度調整機構１４の一例として、図４（ａ）及び図４（ｂ）に示すように、球体部１５と、球体部１５を回動かつ固定可能に支持する球体支持部１６と、を有している。
球体支持部１６は、球体部１５の側面を被覆する側壁部１７と、球体部１５の下面を受ける受け部２１と、側壁部１７を支持する基部２２と、基部２２に貫通して形成されたねじ穴１９と、ねじ穴１９に貫挿される保持ねじ１８と、を有している。
球体部１５には、支持軸２０を介して保持台３が固定して取り付けられている。また、基部２２が吸盤蓋６に固定して取り付けられ、これにより、角度調整機構１４は基台２に取り付けられている。
【００２０】
そして、球体支持部１６は、図４（ａ）に示すように保持ねじ１８をねじ穴１９に螺合させて保持ねじ１８の先端部を受け部２１の側面に押し当てることにより、受け部２１が球体部１５に圧接されて球体部１５を固定保持するようになっている。一方、図４（ｂ）に示すように保持ねじ１８を緩めて保持ねじ１８の先端部を受け部２１の側面から離間させることにより、受け部２１の球体部１５への圧接が解除されて球体部１５が側壁部１７の内部で回動可能となり、これにより、保持台３に保持されたシャワーヘッドＳの保持角度を調整することができるようになっている。
【００２１】
本実施形態に係るシャワーヘッド支持具１によれば、基台２がベース面Ｂに対して着脱自在に構成されているので、ベース面Ｂの任意の位置にシャワーヘッド支持具１を取り付けることができるとともに、取り付け位置を変更したいときは、シャワーヘッド支持具１を取り外し、改めて他の任意の位置に取り付けることができる。
【００２２】
したがって、任意の位置に取り付けたシャワーヘッド支持具１の保持台３に、手に保持して位置を調節しながら利用可能なシャワーヘッドＳを保持させることができ、シャワーヘッドＳを任意の位置で固定支持して使用することができる。
【００２３】
また、本実施形態に係るシャワーヘッド支持具１によれば、保持台３が角度調整機構１４を介して基台２に連設されているので、保持台３に保持されたシャワーヘッドＳの保持角度を調整して固定することができる。
【００２４】
さらに、基台２の吸盤部５をベース面Ｂに押し当てた状態で、回動軸８を介して操作体９を吸着位置に回動させることにより、操作体９の突起１０を吸盤蓋６に当接させて吸盤蓋６を吸盤部５の周縁部分に圧着させるとともに、押圧体７により吸盤部５の中央部分をベース面Ｂから離間させる方向に引っ張る。これにより、吸盤部５とベース面Ｂとの隙間内の空気圧力が周囲環境の待機圧力より低くなって吸盤部５とベース面Ｂとの間に強力な吸引力が生じ、基台２はベース面Ｂに対して強力に吸着する。これにより、シャワーヘッド支持具１の基台２を浴室の壁面などの任意の位置に吸着させるとともに、シャワーヘッドＳを、保持台３の挿通部１２に挿通させて保持させることができるので、シャワーヘッドＳを任意の位置で固定支持して使用することができる。また、操作体９を解除位置に回動させることにより、吸盤部５のベース面Ｂに対する吸着を容易に解除して、改めて任意の位置に吸着させることができる。
【００２５】
なお、本考案は前述の各実施形態の構成に限定されるものではない。例えば、基台２の吸着機構が平面状に並列配置された複数の吸盤部と、全吸盤部を一体に支持する支持台を有し、全吸盤部をベース面Ｂに吸着させることにより、ベース面Ｂに対し基台２を強力に吸着させて取り付けることができる構成であってもよく、さらに、着脱自在な他の構成であってもよい。また、角度調整機構１４も本実施形態の構成に限定されるものではなく、基台２に対する保持台３の角度を調整することができる種々の構成を採用することができる。
【符号の説明】
【００２６】
１…  シャワーヘッド支持具
２…  基台
３…  保持台
５…  吸盤部
６…  吸盤蓋
７…  押圧体
８…  回動軸
９…  操作体
１０…  突起
１２…  挿通部
１４…  角度調整機構
１５…  球体部
１６…  球体支持部
１７…  側壁部
１８…  保持ねじ
１９…  ねじ穴
２０…  支持軸
２１…  受け部
２２…  基部
Ｂ…  ベース面
Ｓ…  シャワーヘッド
【図１】
0003220703.tif 000003
【図２】
0003220703.tif 000004
【図３】
0003220703.tif 000005
【図４】
0003220703.tif 000006